(57)【要約】【課題】収納空間蓋板の取り付け構成を簡素化して安価に提供できる冷蔵庫とする。【解決手段】貯蔵室内に区画形成した収納空間１５と、前記収納空間前方側を覆う蓋板３０と、前記蓋板を上後方向きに可動自在に支持する軸体３５とを備え、前記軸体は前記収納空間の壁面に設け、かつ、前記蓋板には側面板部３１を設け、前記側面板部に円弧状の案内溝３２を設けて前記収納空間壁面からの軸体３５を嵌合させ可動自在とした構成としてある。これにより、冷蔵庫本体の貯蔵室壁に円弧状の案内溝を形成する必要が無く、金型構成を簡素化してコストダウンを図ることができるとともに、案内溝を形成した仕切板のような大きな別部品を必要としないことから、構成の簡素化と材料費削減が可能となって更なるコストダウンが実現できる。【選択図】図８
2014137187.tif 000002
【特許請求の範囲】
【請求項１】
冷蔵庫本体と、前記冷蔵庫本体内に形成した貯蔵室と、前記貯蔵内に区画形成した収納空間と、前記収納空間に出し入れ自在に設けた収納容器と、前記収納容器の前方側を覆う蓋板と、前記蓋板を上後方向き或いは下後方向きのいずれかの方向に可動自在に支持する軸体とを備え、前記軸体は前記収納空間の壁面に設け、かつ、前記蓋板には側面板部を設け、前記側面板部に円弧状の案内溝を設けて前記収納空間壁面からの軸体を嵌合させ可動自在としたことを特徴とする冷蔵庫。
【請求項２】
軸体は先端部に案内溝からの抜け止め防止用のフランジ部を備え、案内溝はその一部に前記フランジ部が挿通可能な挿入部を有することを特徴とする請求項１記載の冷蔵庫。
【請求項３】
蓋板は上後方向きに可動自在とし、かつ、案内溝の挿入部は案内溝の端部に形成するとともに、案内溝と挿入部との境目には軸体係止部を設けた請求項２記載の冷蔵庫。
【請求項４】
収納空間は冷蔵庫本体の最上部に形成するとともに、収納空間上面壁は前方の開口部分から後方に向かって下り傾斜する傾斜面とし、かつ、前記傾斜面より後部の収納空間上の冷蔵庫本体壁中に制御部を組み込んだことを特徴とする請求項１〜３のいずれか１項記載の冷蔵庫。
【請求項５】
冷蔵庫本体を開閉する扉を備えるとともに、前記扉の蓋板と対向する部分に扉ポケットを設け、かつ、前記蓋板には収納空間に供給される冷気の一部を前記扉ポケット部分に供給する冷気小孔を設けたことを特徴とする請求項１〜４のいずれか１項記載の冷蔵庫。
【発明の詳細な説明】
【技術分野】
【０００１】
本発明は冷蔵庫に関し、特に冷蔵室の小物収納構成に関するものである。
【背景技術】
【０００２】
一般に冷蔵庫は冷蔵室内に小物収納室が併設してあり、そのような冷蔵庫の中には上記小物収納室の前面に開閉自在な蓋板を設けたものが見られる（例えば、特許文献１参照）。
【０００３】
図１３〜図１５は上記特許文献１に記載された冷蔵庫を示し、この冷蔵庫１０１は冷蔵室１０２内に仕切板１０３、１０４を取り付けて仕切板１０３と仕切板１０４の間に空間を形成し、その空間内に容器１０５（図１４参照）を出し入れ自在に設けて小物収納室１０６が形成してある。そして前記小物収納室１０６にはその前面に開閉自在な蓋板１０７が設けてある。
【０００４】
この蓋板１０７は図１４、図１５に示すように、その両側に設けた軸１０８を前記仕切板１０３、１０４に形成した案内溝１０９に挿通して上後方向きに回動させ開閉させる構成としてある。なお、この例では上記蓋板１０７は容器１０５の出し入れに伴って回動するように構成してある。
【先行技術文献】
【特許文献】
【０００５】
【特許文献１】特開平１０−１０３８５４号公報
【発明の概要】
【発明が解決しようとする課題】
【０００６】
上記特許文献１に記載されている冷蔵庫は、蓋板１０７で覆った小物収納室１０６を冷気によって効率よく冷却することができ、複数の冷却温度帯を有するチルド室等として利用できる等、使い勝手が向上する利点がある。
【０００７】
しかしながら、上記従来のような構成によると、構成が複雑で、かつ、コスト高になるという課題があった。すなわち、前記蓋板１０７の軸１０８を挿入する案内溝１０９は、蓋板１０７を回動可能とするため、少なくともその形状は円弧形状が必要（この特許文献では更に円弧形状と直線からなる複雑な屈曲形状が必要）となるため、冷蔵庫本体の冷蔵室壁自体に形成しようとすると、金型が複雑化してコスト高になる。したがって、当該特許文献１にも記載されているように、冷蔵室壁側にも別体物の仕切板１０４を準備して当該仕切板１０４に案内溝１０９を設けるような形となり、部品点数が増えて構成が複雑化すると同時にコスト高になってしまうのであった。
【０００８】
また、上記蓋板１０７はその軸１０８を案内溝１０９に挿入する際に蓋板１０７を湾曲させて前記軸１０８を案内溝１０９に挿入させなければならず、組み立て性が悪いという課題もあった。
【０００９】
本発明はこのような点に鑑みてなしたもので、蓋板の取り付け構成を簡素化して安価に提供できる冷蔵庫とすることを目的としたものである。
【課題を解決するための手段】
【００１０】
本発明は上記目的を達成するため、冷蔵庫本体と、前記冷蔵庫本体内に形成した貯蔵室
と、前記貯蔵内に区画形成した収納空間と、前記収納空間に出し入れ自在に設けた収納容器と、前記収納容器の前方側を覆う蓋板と、前記蓋板を上後方向き或いは下後方向きのいずれかの方向に可動自在に支持する軸体とを備え、前記軸体は前記収納空間の壁面に設け、かつ、前記蓋板には側面板部を設け、前記側面板部に円弧状の案内溝を設けて前記収納空間壁面からの軸体を嵌合させ可動自在とした構成としてある。
【００１１】
これにより、冷蔵庫本体の貯蔵室壁に円弧状の案内溝を形成する必要が無く、金型構成を簡素化してコストダウンを図ることができるとともに、貯蔵室壁側に案内溝を形成した仕切板のような大きな別部品を必要としないから、構成の簡素化と材料費削減が可能となって更なるコストダウンが実現できる。
【発明の効果】
【００１２】
本発明は、蓋板取付け構成の簡素化とコストダウンが実現でき、安価な冷蔵庫とすることができる。
【図面の簡単な説明】
【００１３】
【図１】本発明の実施の形態１における冷蔵庫の正面図
【図２】同冷蔵庫の内部を示す正面図
【図３】同冷蔵庫の縦断面図
【図４】同冷蔵庫の横断面図
【図５】同冷蔵庫における冷凍室背面の冷却室を露出させて冷蔵室の冷気流れを説明するための正面図
【図６】同冷蔵庫の内箱を背面側から示す斜視図
【図７】同冷蔵庫の小物収納室を示す正面図
【図８】同冷蔵庫の小物収納室の断面図
【図９】同冷蔵庫の小物収納室の一部決裁正面図
【図１０】同冷蔵庫の小物収納室の蓋板を示す側面図
【図１１】同冷蔵庫の小物収納室の蓋板取り付け構成を示す側面図
【図１２】（ａ）〜（ｆ）同冷蔵庫の小物収納室の蓋板動作を示す説明図
【図１３】従来の冷蔵庫の正面図
【図１４】同従来の冷蔵庫の小物収納室を示す分解斜視図
【図１５】同従来の冷蔵庫の小物収納室を覆う蓋板の動作説明図
【発明を実施するための形態】
【００１４】
第１の発明は、冷蔵庫本体と、前記冷蔵庫本体内に形成した貯蔵室と、前記貯蔵内に区画形成した収納空間と、前記収納空間に出し入れ自在に設けた収納容器と、前記収納容器の前方側を覆う蓋板と、前記蓋板を上後方向き或いは下後方向きのいずれかの方向に可動自在に支持する軸体とを備え、前記軸体は前記収納空間の壁面に設け、かつ、前記蓋板には側面板部を設け、前記側面板部に円弧状の案内溝を設けて前記収納空間壁面からの軸体を嵌合させ可動自在とした構成としてある。
【００１５】
これにより、冷蔵庫本体の貯蔵室壁に円弧状の案内溝を形成する必要が無く、金型構成を簡素化してコストダウンを図ることができるとともに、貯蔵室壁側に案内溝を形成した仕切板のような大きな別部品を必要としないから、構成の簡素化と材料費削減が可能となって更なるコストダウンが実現できる。
【００１６】
第２の発明は、第１の発明において、軸体は先端部に案内溝からの抜け防止用のフランジ部を備え、案内溝はその一部に前記フランジ部が挿通可能な挿入部を有した構成としてある。
【００１７】
これにより、蓋板は軸体のフランジ部を案内溝の挿入部から案内溝へと挿入すれば案内溝への取付けができ、蓋板を湾曲させるなどしなくても容易に取り付けることができるとともに、フランジ部によって軸体が案内溝から抜けて脱落するようなことも無くなり、生産性と信頼性の両方を一挙に向上させることができる。
【００１８】
第３の発明は第２の発明において、蓋板は上後方向きに可動自在とし、かつ、案内溝の挿入部は案内溝の端部に形成するとともに、案内溝と挿入部との境目には軸体係止部を設けた構成としてある。
【００１９】
これにより、蓋板を上後方向きに回動させたとき蓋板の軸体が案内溝の軸体係止部に係止して蓋板は収納空間の上面部に保持されるようになり、収納空間からの収納容器や食品の出し入れが容易に行えるようになるとともに、当該収納空間を常時開口型の収納空間としても使用することができ、使い勝手が向上する。
【００２０】
第４の発明は、第１〜第３の発明において、収納空間は冷蔵庫本体の最上部に形成するとともに、収納空間上面壁は前方の開口部分から後方に向かって下り傾斜する傾斜面とし、かつ、前記傾斜面より後部の収納空間上の冷蔵庫本体壁中に制御部を組み込んだ構成としてある。
【００２１】
これにより、収納空間の前方開口部が大きなものとなって収納容器や収納容器に収納した食品の出し入れが容易になるとともに、収納空間上部の傾斜面後方の冷蔵庫本体壁厚が厚くなってその部分に制御部を設けても断熱性を確保して制御部の発汗を防止でき、使用性と信頼性の向上に加え構成の合理化も同時に図ることができる。
【００２２】
第５の発明は、第１〜第４の発明において、冷蔵庫本体を開閉する扉を備えるとともに、前記扉の蓋板と対向する部分に扉ポケットを設け、かつ、前記蓋板には収納空間に供給される冷気の一部を前記扉ポケット部分に供給する冷気小孔を設けた構成としてある。
【００２３】
これにより、蓋板を設けた収納空間を効率よく冷却しつつその前面に位置する扉ポケットに収納した食品も必要十分に冷却することができ、冷却性能の良好な冷蔵庫とすることができる。
【００２４】
以下、本発明の実施の形態について、図面を参照しながら説明する。なお、この実施の形態によって本発明が限定されるものではない。
【００２５】
（実施の形態１）
図１は本発明の実施の形態１における冷蔵庫の正面図、図２は同冷蔵庫の内部を示す正面図、図３は同冷蔵庫の縦断面図、図４は同冷蔵庫の横断面図、図５は同冷蔵庫における冷凍室背面の冷却室を露出させて冷蔵室の冷気流れを説明するための正面図、図６は同冷蔵庫の内箱を背面側から示す斜視図、図７は同冷蔵庫の小物収納室を示す正面図、図８は同冷蔵庫の小物収納室の断面図、図９は同冷蔵庫の小物収納室の一部決裁正面図、図１０は同冷蔵庫の小物収納室の蓋板を示す側面図、図１１は同冷蔵庫の小物収納室の蓋板取り付け構成を示す側面図、図１２（ａ）〜（ｆ）は同冷蔵庫の小物収納室の蓋板動作を示す説明図、である。
【００２６】
図１〜図６において、１は冷蔵庫本体で、二つの貯蔵室２、３を有し、上部の貯蔵室２を冷凍室、その下部の貯蔵室３を冷蔵室としたトップフリーザ方式の冷蔵庫を形成している。
【００２７】
上記冷蔵庫本体１は、図３に示すように、前方に開口する金属製（例えば鉄板）の外箱
４と、硬質樹脂製（例えばＡＢＳ製）の内箱５と、これら外箱４と内箱５との間に発泡充填した硬質ウレタン等の発泡断熱材６からなる。また、冷蔵庫本体１の冷凍室となる貯蔵室２（以下、冷凍室２と称す）及び冷蔵室となる貯蔵室３（以下、冷蔵室３と称す）の前面は冷蔵庫本体１と同様の構成によって断熱性を持たせた回転自在な扉７、８によって開閉自在となっている。
【００２８】
また、前記冷蔵庫本体１の冷凍室２背面には冷却室９があり、冷気を生成する冷却器１０と、冷気を各室に供給する送風ファン１１とが設けてある。また、上記冷蔵庫本体１の本体下面奥部には圧縮機１２が設けてあり、コンデンサ（図示せず）と、放熱パイプ（図示せず）と、キャピラリーチューブ（図示せず）と、前記した冷却器１０とからなる冷凍サイクルに冷媒を封入し、冷却運転を行うように構成してある。
【００２９】
冷蔵室３は内部に複数の収納棚１４を着脱自在に有し、冷蔵室内空間が上下複数の空間に仕切られている。
【００３０】
また、冷凍室２及び冷蔵室３の最上部空間には図２に示すように小物収納室１５、１６がそれぞれ併設してあり、冷凍室２側の小物収納室１５の上面壁は図３に示すように前方の開口部分から後方に向かって下り傾斜する傾斜面１７とし、かつ、前記傾斜面１７より後部の収納空間上の冷蔵庫本体壁中に冷凍サイクルの運転を制御する制御部１８が組み込んである。そして、冷凍室２は図２に示すようにその背面に冷凍用冷気吹出し口１３ａと冷凍用冷気戻り口１３ｂを有しており、冷凍用冷気吹出し口１３ａは小物収納室１５とその下方の空間とにまたがるように設けてある。
【００３１】
また、冷蔵室３の背面部には図４、図５に示すように前記冷却器１０で生成した冷気を冷蔵室３に供給する冷気ダクト１９が設けてある。この冷気ダクト１９は冷蔵室３の背面略中央部分に上下方向に設けてあり、その左右両側面に冷蔵用冷気吹出し口２０が設けてある。更に、前記冷気ダクト１９は図５から明らかなように冷却器１０の横幅よりも短い横幅としてあり、当該冷気ダクト１９に連なる連結ダクト２１（図６参照）が冷却室９の中央部分、すなわち、冷却器１０の中央部分に接続してある。これによって、冷気ダクト１９は冷却器１０中央部分の冷気が供給される構成となる。
【００３２】
また、前記冷蔵室３の最上段空間部の背面部分には図５に示すように冷蔵用冷気戻り口２２が設けてある。この冷蔵用冷気戻り口２２は前記冷気ダクト１９の横幅よりも外側部に位置するように設けてあり、その冷蔵用冷気戻り口２２に連なる冷気戻りダクト２３（図６参照）が前記冷却室９の左右両側部分、すなわち、冷却器１０の両側部分に接続してある。これによって、冷蔵用冷気戻り口２２からの冷気は冷却器１０両側外周部分に戻る構成となる。
【００３３】
更に、前記冷気ダクト１９はその冷蔵用冷気吹出し口２０が前記収納棚１４によって仕切られた各空間に対応する如く形成してあり、そのうち最上段の空間部分の冷気ダクト両側面の冷気吹出し口は設けず閉塞面とし、代わりに前記した小物収納室１６に対向するダクト前面の最上部に小さな冷蔵用補助冷気吹出し口２０ａが形成してある。
【００３４】
次に前記した本発明の要部となる小物収納室１５、１６部分の構成について詳述する。なお、上記小物収納室１５、１６は略同様に構成してあるので、冷凍室側の小物収納室１５を例にして図７〜図１２を用い説明する。
【００３５】
上記小物収納室１５は、図７に示すように冷凍室２の上面壁と背面壁に取り付け固定した仕切壁２４によって区分け形成されている。すなわち、上記仕切壁２４の取付けによって当該仕切壁２４の両側に収納空間を形成し、図８に示すように前記一方の収納空間両側
部のレール部２５に収納容器２８を着脱自在に装着して、前記した小物収納室１５が形成してある。なお、仕切壁２４横の他方の収納空間は製氷室２６としてある。
【００３６】
上記小物収納室１５の前面部には収納容器２８の前方側を覆う蓋板３０が上後方向きに回動自在に設けてあり、その蓋板３０には複数の冷気小孔３０ａを設けて、図３に示すように蓋板３０前面に位置する扉７の扉ポケット７ａに冷気を供給するように構成してある。
【００３７】
以下、上記蓋板３０の取り付け構成を図１０、図１１を用いて説明する。
【００３８】
蓋板３０はその両側部に側面板部３１を一体形成してあり、側面板部３１には円弧状の案内溝３２、この実施の形態では孔形状の案内溝が形成してある。上記案内溝３２は下方側端部に大径の挿入部３３を有し、この挿入部３３と案内溝３２の境目には軸体係止部３４が形成してある。
【００３９】
一方、小物収納室１５の壁面には図８、図９に示すように前記案内溝３２に嵌合して蓋板３０を小物収納室１６の上後方向きに可動自在なるように支持する軸体３５が設けてある。この軸体３５は図９に示すように止めネジ３６によって小物収納室壁に後付してあり、その端部には前記軸体３５が案内溝３２から抜け落ちるのを防止する抜け防止用のフランジ部３７が設けてある。このフランジ部３７は前記案内溝３２の挿入部３３より小径として、挿入部３３より案内溝３２へと嵌合できるようにしてある。
【００４０】
また、この実施の形態ではすでに説明したように小物収納室１５の収納空間上面壁は前方の開口部分から後方に向かって下り傾斜する傾斜面１７とするとともに、前記傾斜面１７より後部の収納空間上の冷蔵庫本体１の壁中には冷凍サイクルの運転を制御する制御部１８が組み込んである。
【００４１】
上記構成において、この冷蔵庫は、上記した構成から明らかなように、小物収納室１６の壁面側に軸体３５を設け、蓋板３０に側面板部３１を設けて、当該側面板部３１に円弧状の案内溝３２を形成してあるから、冷蔵庫本体１の冷蔵室壁に円弧状の案内溝を形成する必要がなく、金型構成を簡素化してコストダウンを図ることができる。しかも、従来のように小物収納室１５を形成する貯蔵室壁側に案内溝を形成した仕切板のような大きな別部品を必要としないから、構成も簡素化でき、かつ材料費も削減でき、大幅なコストダウンが実現できる。
【００４２】
また、上記蓋板３０の軸体３５はそのフランジ部３７を案内溝３２の挿入部３３から挿入すれば案内溝３２へ嵌合することができ、蓋板３０を湾曲させなくても容易に取り付けることができるので、生産性が向上する。しかも軸体３５にフランジ部３７を設けたことによって、蓋板３０の可動時に不用意に軸体３５が案内溝３２から抜け落ちて蓋板３０が脱落するようなこともなくなり、信頼性も向上する。
【００４３】
更に、この実施の形態では、前記蓋板３０を設けた小物収納室１５はその収納空間上面壁が前方の開口部分から後方に向かって下り傾斜する傾斜面１７となっているから、小物収納室１５の前方開口部が大きなものとなって、収納容器２８や収納容器２８に収納した食品の出し入れが容易に行えるようになる。加えて、上記傾斜面１７を設けたことにより当該傾斜面１７より後部の小物収納室１５上の冷蔵庫本体１の壁厚を厚くでき、この部分を制御部１８の設置スペースとすることができるとともに、制御部１８を組み込んでも十分に断熱して制御部１８に発汗が生じ動作不良を引き起こすような問題も防止して信頼性の高いものとすることができる。
【００４４】
一方、上記蓋板３０はその前下端部を持って上後方向きに持ち上げると、図１２のａ→ｂ→ｃ→ｄ→ｅ→ｆに示すように収納室壁の軸体３５を中心に案内溝３２の円弧に沿って上後方へと回動していき、小物収納室１５の前面を開口する。このとき、蓋板３０を支持する軸体３５が図１１、図１２（ｆ）に示すように案内溝３２の軸体係止部３４に係止して蓋板３０は小物収納室１５の上面部に保持されるようになる。したがって、小物収納室１５からの収納容器２８や食品の出し入れ時に蓋板３０が自重で回動降下してきて邪魔になるようなことがなく、収納容器２８や食品の出し入れが容易に行える。また、蓋板３０が小物収納室１５の上面部に保持されるので、当該小物収納室１６を常時開口型の収納空間としても使用することができ、使い勝手が向上するとともに、この上面部に保持される蓋板３０は小物収納室１５の上面部に沿って保持されるので、小物収納室１５背面の冷凍用冷気吹出し口１３ａを塞ぐことがなく、常時開口型の収納空間としたときの当該小物収納室１５と同小物収納室１５下方空間の冷却を十分に行うことができ性能低下を起こすこともない。
【００４５】
次に上記状態から、蓋板３０の前方端部を手前方向に引き下ろすと、先ほどと逆の動作をして収納容器２８前方の小物収納室１５開口部を閉塞する。これによって、この小物収納室１５に対応して設けた冷凍用冷気吹出し口１３ａからの冷気が小物収納室１６に充満した後、冷凍用冷気戻り口１３ｂから冷却室９へと還流していくことになるので、小物収納室１５内の食品を効率よく冷却することができる。
【００４６】
このとき、上記小物収納室１５の蓋板３０に設けた冷気小孔３０ａから吹き出して還流する冷気の一部はその前面に位置する扉ポケット７ａへと流れるので、扉ポケット７ａに収納した食品も十分に冷却することができる。
【００４７】
以上、冷凍室２側の小物収納室１５における蓋板３０の取り付け構成とその効用について説明してきたが、冷蔵室３側の小物収納室１６も同様である。ただ、必ずしも同様に構成する必要はなく、例えば冷気小孔３０ａが無くても良いし、蓋板３０は小物収納室内に設けた収納容器（図示せず）の引き出しによって回動するように構成しても良いものである。
【００４８】
なお、上記構成からなるこの冷蔵庫は以下のようにして冷却が行われるものである。すなわち、冷蔵庫本体１の冷却室９で生成された冷気は冷凍室２へ流れると同時に連結ダクト２１を介して冷気ダクト１９へと流れ、冷気ダクト１９両側部の各冷蔵用冷気吹出し口２０から冷蔵室３内に供給される。冷蔵室３内に供給された冷気は、冷蔵室３内の食品を冷却し、冷蔵室上部の冷蔵用冷気戻り口２２から冷気戻りダクト２３を介して冷却室９に戻り、冷却器１０によって冷却され再び冷蔵室３へと流れる循環を繰り返す。
【００４９】
ここで、上記冷気ダクト１９は、冷却器１０の横幅よりも短い横幅として、冷却器１０の中央部分に接続した形としてあるから、上記冷気ダクト１９へと流れる冷気は、冷却器１０によって冷却された冷気のうち最も温度の低い状態の冷気が流れるようになる。すなわち、冷却器１０は冷蔵用冷気戻り口２２から冷却室９に還流してくる冷蔵室３内からの比較的温度の高い冷気を再冷却するのであるが、前記還流冷気は冷気戻りダクト２３から冷却器１０の両側外周部分に還流してくる。この冷却器１０の外周部に還流した温度の高い冷気は冷却器１０の中央部へと流れ、その間に再冷却され、中央部分では最も温度の低い状態となる。そしてこの温度が最も低くなった低温の冷気が冷却器１０の中央部分に繋がっている連結ダクト２１を介して冷気ダクト１９へと流れるのである。一方、冷却器１０の外周部に還流してきた温度の高い冷気がそのまま連結ダクト２１の開口部から冷気ダクト１９へと流れることはなくなる。したがって、これら両者の作用によって冷蔵室３には最も温度が低くなった冷気が供給され、冷蔵室３内の食品はこの最も温度が低くなった冷気によって冷却されることになり、効率の良い冷却が可能となる。これは、前記した冷
蔵室３側の小物収納室１６に冷蔵用補助冷気吹出し口２０ａから供給される冷気についてもいえることである。
【００５０】
また、前記冷気ダクト１９は冷蔵室背面の略中央部に位置していて、その両側部に冷蔵用冷気吹出し口２０が設けてあるから、冷気は冷蔵室３の背面中央部分から左右方向へと供給され、冷蔵室３内に分散していくことになる。そして、冷蔵用冷気戻り口２２が冷蔵室３の上部に設けてあるから、冷蔵室３に供給され低温であるがゆえに沈降しがちな冷気は冷蔵室３の上方に設けた冷蔵用冷気戻り口２２へと反転上昇して冷却器１０へと還流する。従って冷蔵室３内は均一に冷却されることになり、冷蔵室３内に収納された食品がどのような位置にあってもこれらを効率よく均一に冷却することができる。
【００５１】
特にこの実施の形態の冷蔵庫は、図４に示すように上記冷蔵用冷気吹出し口２０の背面側の冷蔵室背面壁に冷気案内傾斜面３ａが設けてあるから、冷気はこの冷気案内傾斜面３ａに案内されて強制的に前方へと流れることになり、冷蔵室３内により均等に分散して冷蔵室３をより均一に冷却することができる。
【００５２】
また、上記冷気ダクト１９両側部の冷蔵用冷気吹出し口２０は、収納棚１４によって仕切られた各空間に対応して設けているので、この各空間に冷気を確実に供給することができる。そして前記各収納棚１４の背面側端部１４ａは冷気ダクト１９の冷蔵用冷気吹出し口２０よりも背面側に位置しているので、冷蔵用冷気吹出し口２０より吹出した冷気の一部が冷蔵室背面壁と収納棚１４の背面側端部１４ａとの間から下方へと直接流出してしまうのを低減することができる。したがって、冷蔵室３内の各空間の冷却をより確実かつ均一に行うことができ、冷蔵室３全体をさらに均一に冷却することができる。
【００５３】
また、上記冷気ダクト１９は冷蔵室背面部の略中央に設け、かつ、冷蔵用冷気吹出し口２０はその冷気ダクト１９の両側面に開口するように設けているので、冷蔵室３内を均一に冷却するために冷気ダクト１９を左右に分岐しなくても良く、構成の簡素化が図れる。
【００５４】
以上のようにこの冷蔵庫は収納空間蓋板の取り付け構成を簡素化して安価に提供できるものであるが、上記実施の形態は本発明を実施するうえでの一例として示したものであり、本発明の目的を達成する範囲で種々変更可能であることは言うまでもない。
【００５５】
例えば、上記実施の形態では蓋板３０の可動方向を上後方向きとしたが、下後方向きに可動させる構成としても良いものである。
【００５６】
また、蓋板３０の側面板部３１に設けた案内溝３２は孔形状のもので説明したが、これは孔形状のものではなく凹形状のものであっても良いものである。
【００５７】
更に、蓋板３０を設けた収納空間は冷凍室２や冷蔵室３に設けたものを例示したが、これはいずれか一方のみであっても良く、また冷蔵室３側に設けた収納空間は冷蔵室３の最上部空間に設けたものを例示したが、それ以外の部分、例えば冷蔵室３の最下部空間に設けたものであっても良いものである。
【産業上の利用可能性】
【００５８】
以上のように本発明は、蓋板取付け構成の簡素化とコストダウンが実現でき、安価な冷蔵庫とすることができるから、一般用はもちろん業務用の冷蔵庫にも幅広く適用できる。
【符号の説明】
【００５９】
１  冷蔵庫本体
２  冷凍室（貯蔵室）
３  冷蔵室（貯蔵室）
４  外箱
５  内箱
６  発泡断熱材
７、８  扉
９  冷却室
１０  冷却器
１１  送風ファン
１２  圧縮機
１３ａ  冷凍用冷気吹出し口
１３ｂ  冷凍用冷気戻り口
１４  収納棚
１５、１６  小物収納室（収納空間）
１７  傾斜面
１８  制御部
１９  冷気ダクト
２０  冷蔵用冷気吹出し口
２０ａ  補助冷気吹出し口
２１  連結ダクト
２２  冷蔵用冷気戻り口
２３  冷気戻りダクト
２４  仕切壁
２５  レール部
２６  製氷室
２８  収納容器
３０  蓋板
３１  側面板部
３２  案内溝
３３  挿入部
３４  軸体係止部
３５  軸体
３６  止めネジ
３７  フランジ部
【図１】
2014137187.tif 000003
【図２】
2014137187.tif 000004
【図３】
2014137187.tif 000005
【図４】
2014137187.tif 000006
【図５】
2014137187.tif 000007
【図６】
2014137187.tif 000008
【図７】
2014137187.tif 000009
【図８】
2014137187.tif 000010
【図９】
2014137187.tif 000011
【図１０】
2014137187.tif 000012
【図１１】
2014137187.tif 000013
【図１２】
2014137187.tif 000014
【図１３】
2014137187.tif 000015
【図１４】
2014137187.tif 000016
【図１５】
2014137187.tif 000017